(57)【要約】【課題】本発明の主な目的は外乱が生じた場合でも的確な健康診断を実施することができる出張型巡回健診現場における受診者通過情報公開システムを提供することができる。【解決手段】本発明にかかる出張型巡回健診現場における受診者通過情報公開システム１００は、健診スタッフ毎の位置情報および報知部を含む複数の携帯通信デバイス５００と、受診者毎の位置情報および報知部を含む複数の携帯通信端末４００と、受診者のデータ、健診内容、健診順序、検査ブース毎の集計および各検査ブースの健診状況を記録する記録部３００と、携帯通信デバイス５００および携帯通信端末４００との送受信、および記録部３００への記録操作を行う制御システム２００と、を含む。【選択図】図１
2018073266.tif 000002
【特許請求の範囲】
【請求項１】
出張型巡回健診スタッフ毎の位置情報および報知部を含む複数の携帯通信デバイスと、
受診者毎の位置情報および報知部を含む複数の携帯通信端末と、
前記受診者のデータ、健診内容、健診順序、検査ブース毎の集計および各検査ブースの健診状況を記録する記録部と、
前記携帯通信デバイスおよび前記携帯通信端末との送受信、および前記記録部への記録操作を行う制御部と、を含み、
前記制御部は、前記記録部における健診状況に応じて、前記受診者の位置情報に基づいて前記報知部に報知を行うとともに、
一の前記携帯通信端末に報知した情報に応じて一の前記受診者の位置情報が報知に非対応または移動しない場合に、前記記録部に記録された情報に応じて受診者の健診順序の組み換えを行い、他の前記携帯通信端末に報知を行い、
さらに、前記受診者のデータ、健診内容、健診順序、検査ブース毎の集計および各検査ブースの健診状況に応じて前記携帯通信デバイスに報知を行うとともに位置情報を取得し、前記一の前記携帯通信端末の位置情報の確認を一の前記携帯通信デバイスの報知部に報知させる、出張型巡回健診現場における受診者通過情報公開システム。
【請求項２】
前記検査ブースの入り口および出口に設けられた入出検出部をさらに含み、
前記制御部は、前記複数の携帯通信端末のうち、一の携帯通信端末が前記入出検出部からの情報に応じて、前記記録部の検査状況を判定する、請求項１記載の出張型巡回健診現場における受診者通過情報公開システム。
【請求項３】
前記制御部は、前記複数の携帯通信デバイスに対して、前記記録部に記録する検査ブース毎の集計または前記健診状況を共有表示させるとともに、前記携帯通信デバイス毎の報知部に報知を行う、請求項１または２記載の出張型巡回健診現場における受診者通過情報公開システム。
【請求項４】
前記受診者の所属する企業担当者における通信端末をさらに含み、
前記制御部は、前記記録部の検査ブース毎の集計および健診状況を前記通信端末に送信する、請求項１乃至３記載の出張型巡回健診現場における受診者通過情報公開システム。
【請求項５】
前記制御部は、前記健診順序において通過禁忌情報を追加する追加機能を有する、請求項１乃至４のいずれか１項に記載の出張型巡回健診現場における受診者通過情報公開システム。
【請求項６】
前記制御部は、前記各検査ブースにおける前記携帯通信端末の位置情報を取得し、前記携帯通信端末の個数が第１閾値以下の場合に、前記携帯通信端末の報知部に報知を行わせ、
前記携帯通信端末の個数が第２閾値超過の場合に、前記携帯通信端末の報知部に他の検査ブースへ移動するよう報知するとともに、前記携帯通信端末の位置情報に近接する前記携帯通信デバイスの報知部に報知を行う、請求項１乃至５のいずれか１項に記載の出張型巡回健診現場における受診者通過情報公開システム。
【請求項７】
前記携帯通信端末への報知は、地図情報に基づく移動経路情報を含む、請求項６記載の出張型巡回健診現場における受診者通過情報公開システム。
【請求項８】
前記制御部は、前記携帯通信デバイスに対して、受診未完了者情報または遅延予測時間、次健診会場の開始時間および担当連絡先情報を報知する、請求項１乃至７のいずれか１項に記載の出張型巡回健診現場における受診者通過情報公開システム。
【請求項９】
前記制御部は、前記通信端末に対して、検査ブース毎の健診状況、受診未完了者情報または遅延予測時間を報知する、請求項４乃至８のいずれか１項に記載の出張型巡回健診現場における受診者通過情報公開システム。
【請求項１０】
前記制御部は、前記通過禁忌情報に応じて、前記入出検出部に前記通過禁忌情報に該当する携帯通信端末の情報を送信し、前記入出検出部において、当該携帯通信端末の情報を受信した場合、報知を行う、請求項５に記載の出張型巡回健診現場における受診者通過情報公開システム。
【発明の詳細な説明】
【技術分野】
【０００１】
本発明は、出張型巡回健診現場で健康診断システムから収集するエントリ記録情報を利用して、健診スタッフ、健康管理主体側の企業担当者や受診者向けに公開する機能に関する。
【背景技術】
【０００２】
特開２００２−３１２４７３号公報（特許文献１）には、出張型の健康診断において、受診者の受診時間全体を短くする予約を作業場から行うと共に、健診の現場では順番や順路案内できるようにすることについて開示されている。
【０００３】
特許文献１記載の健康診断システムにおいては、スケジューラ１１１は検査項目別待ちキュー手段１１４と受診者別の待ちキュー手段１１５で構成される。受診者はスケジューラ１１１をネットワーク上で操作し、次に予約可能な時間帯の早い検査項目順に受診時間全体を短くするようスケジュールを決める。検査現場１では受診者の携行するワイヤレスディスプレイ１１３１，１１３２と通信し、現場での行先案内等の個別ガイダンスを行うことで、健康診断の効率化を図るものである。
【０００４】
特開平０８−１９４８５３号公報（特許文献２）には、複数ある利用希望対象物に対して、対象物理用までの待ち時間を短縮させることについて開示されている。
【０００５】
特許文献２記載の待ち時間短縮システムにおいては、複数の利用希望対象物に対する利用申込を行う入力装置と、前記入力装置で入力された利用申込情報と前記対象物の稼働状況を入力とし、対象物毎の利用申込情報を記憶する待ち行列となる記憶手段と、利用申込者自身の状態を記憶する記憶手段を有する順番管理用装置と、複数ある前記利用申込情報に対して前記順番管理装置でそれぞれの順番管理を行い、いずれかの利用申込対象物が当該申込者の順番になった時に、申込者に対して希望対象物の利用が可能となったことを示す表示装置を具備し、複数の利用希望対象物への利用申込情報を順番管理用装置内に設けた対象物毎の待ち行列としての記憶手段で待たせるものである。
【０００６】
特開平１１−２０５３３７号公報（特許文献３）には、  病院など電波の利用が制限されている施設内において、施設の利用者に適切に情報を伝達するとともに、利用者からの応答を受理することが可能な情報通信システムについて開示されている。
【０００７】
特許文献３記載の情報通信システムにおいては、情報通信システム１０は、情報を管理し、かつ、情報を送受信可能なセンタ装置１６と、各々が、センタ装置１６からの情報を受理し、かつ、センタ装置に情報を送信することが可能なページャ２２とを備えている。ページャ２２は、各々がセンタ装置と接続された赤外線受光部２４に、赤外線信号を送信し、当該赤外線信号を受信した赤外線受光部２４が、センタ装置１６に信号を伝達することについて開示されている。
【先行技術文献】
【特許文献】
【０００８】
【特許文献１】特開２００２−３１２４７３号公報
【特許文献２】特開平０８−１９４８５３号
【特許文献３】特開平１１−２０５３３７号
【発明の概要】
【発明が解決しようとする課題】
【０００９】
特許文献１記載の健康診断システムでは、健康診断の受診者個人の予約コントロールを行うものが提案されているが、決められた時間内で出張型の健康診断を終了させるための健診スタッフ側または健康管理主体側への配慮の無い技術しか提案されていなかった。
【００１０】
また、特許文献２記載の待ち時間短縮システムには、固定化された受診施設内に既に受診者が到着していることを前提にして、それ以降の待ち順番の最適化をするための順番を予約するものだけであり、特許文献３記載の情報通信システムには、固定化された受診施設内に既に受診者が到着していることを前提にして、順番指示するものだけであった。
【００１１】
しかしながら、健康診断を各企業施設内でおこなう出張型の健康診断システムにおいては、待ち時間を最適化した後でも、イレギュラー発生が多数生じるため、特許文献１乃至３のいずれも適用したとしても、円滑に時間内に健康診断を終了させることは困難であった。
【００１２】
本発明の主な目的は、外乱が生じた場合でも的確な健康診断を実施することができる出張型巡回健診現場における受診者通過情報公開システムを提供することができる。
【００１３】
なお、本発明にかかる外乱とは、健診における受診者が停滞者となる場合、健診における受診者が怠惰状態、または行方不明になる場合等を意味する。
また、健診スタッフとは、健康診断を実施するスタッフを意味し、具体的には、健康診断を円滑に進めるための要員を意味する。
【課題を解決するための手段】
【００１４】
（１）
一局面に従う出張型巡回健診現場における受診者通過情報公開システムは、健診スタッフ毎の位置情報および報知部を含む複数の携帯通信デバイスと、受診者毎の位置情報および報知部を含む複数の携帯通信端末と、受診者のデータ、健診内容、健診順序、検査ブース毎の集計および各検査ブースの健診状況を記録する記録部と、携帯通信デバイスおよび携帯通信端末との送受信、および記録部への記録操作を行う制御部と、を含み、制御部は、記録部における健診状況に応じて、受診者の位置情報に基づいて報知部に報知を行うとともに、一の携帯通信端末に報知した情報に応じて一の受診者の位置情報が報知に非対応または移動しない場合に、記録部に記録された情報に応じて受診者の健診順序の組み換えを行い、他の携帯通信端末に報知を行い、受診者のデータ、健診内容、健診順序、検査ブース毎の集計および各検査ブースの健診状況に応じて携帯通信デバイスに報知を行うとともに位置情報を取得し、一の携帯通信端末の位置情報の確認を一の携帯通信デバイスの報知部に報知させるものである。
【００１５】
この場合、制御部は、健診スタッフの複数の携帯通信デバイス、受診者の複数の携帯通信端末、および記録部との通信を行う。
制御部は、記録部における健診状況に応じて、受診者の位置情報に基づいて報知部に報知を行うことができる。
また、制御部は、一の携帯通信端末に報知した情報に応じて一の受診者の位置情報が報知に非対応または移動しないと判定した場合、記録部に記録された情報に応じて受診者の健診順序の組み換えを行うことができる。さらに、制御部は、他の携帯通信端末に報知を行うことができる。
その結果、移動すべき受診者が報知情報に応じない場合または移動しない場合、最寄りでかつ手空きの健診スタッフが対応することができる。
さらに、受診者のデータ、健診内容、健診順序、検査ブース毎の集計および各検査ブースの健診状況に応じて非対応の受信者の携帯通信デバイスに報知を行うことで、健診スタッフが、受診者を移動させるべき検査ブースを認識し、当該受診者の位置情報を取得することができる。
その結果、診断の途中に業務などで検査ブースに移動しない受診者に対して即座に対応を行うことができる。すなわち、システムで報知するのみでなく、健診スタッフが容易に案内をすることができるので、予定していた健診時間で全受診者の健診を終了することができる。
【００１６】
（２）
第２の発明にかかる出張型巡回健診現場における受診者通過情報公開システムは、一局面に係る出張型巡回健診現場における受診者通過情報公開システムにおいて、検査ブースの入り口および出口に設けられた入出検出部をさらに含み、制御部は、複数の携帯通信端末のうち、一の携帯通信端末が入出検出部からの情報に応じて、記録部の検査状況を判定してもよい。
【００１７】
この場合、制御部は、受診者の携帯通信端末が入出検出部からの入室および退出に応じて当該検査ブースにおいてかかった時間、入出人数、等を判定することができる。
【００１８】
その結果、円滑に検査ブースにおける待機人数を設定することができる。
【００１９】
（３）
第３の発明にかかる出張型巡回健診現場における受診者通過情報公開システムは、一局面または第２の発明にかかる出張型巡回健診現場における受診者通過情報公開システムにおいて、制御部は、複数の携帯通信デバイスに対して、記録部に記録する検査ブース毎の集計または健診状況を共有表示させるとともに、携帯通信デバイス毎の報知部に報知を行ってもよい。
【００２０】
この場合、健診スタッフの複数の携帯通信デバイスに対して、検査ブース毎の集計または健診状況を共有表示させることができるので、健診スタッフは、全体の流れを認識することができる。
【００２１】
なお、健診スタッフの内、リーダー格の健診スタッフ達の携帯通信デバイスに対してのみ、当該検査ブース毎の集計または健診状況を共有表示させてもよい。
【００２２】
（４）
第４の発明にかかる出張型巡回健診現場における受診者通過情報公開システムは、一局面から第３の発明にかかる出張型巡回健診現場における受診者通過情報公開システムにおいて、健康管理主体側の企業担当者における通信端末をさらに含み、制御部は、記録部の検査ブース毎の集計および健診状況を通信端末に送信してもよい。
【００２３】
この場合、健康管理主体側の企業担当者における通信端末に、検査ブース毎の集計および健診状況を送信することができる。その結果、受診者の企業担当者も診査診断の進捗状況を容易に確認することができる。
【００２４】
（５）
第５の発明にかかる出張型巡回健診現場における受診者通過情報公開システムは、一局面から第４の発明にかかる出張型巡回健診現場における受診者通過情報公開システムにおいて、制御部は、健診順序において通過禁忌情報を追加する追加機能を有してもよい。
【００２５】
この場合、制御部は、健診順序における通過禁忌情報を追加することができるので、所定の検査ブースへ移動の際に、事前に実施しなければならない別検査ブースへ誘導させることができる。
【００２６】
具体的には、胸部レントゲン検査の後でなければ、胃部レントゲン検査を行うことができない。すなわち、検査順序として必須条件を追加することができる。
【００２７】
（６）
第６の発明にかかる出張型巡回健診現場における受診者通過情報公開システムは、一局面から第５の発明にかかる出張型巡回健診現場における受診者通過情報公開システムにおいて、制御部は、各検査ブースにおける携帯通信端末の位置情報を取得し、携帯通信端末の個数が第１閾値以下の場合に、携帯通信端末の報知部に報知を行わせ、携帯通信端末の個数が第２閾値超過の場合に、携帯通信端末の報知部に他の検査ブースへ移動するよう報知するとともに、携帯通信端末の位置情報に近接する携帯通信デバイスの報知部に報知を行ってもよい。
【００２８】
この場合、制御部は、各検査ブースの携帯通信端末の個数が第１閾値以下の場合に、当該検査ブースに受診者が移動できるよう報知を行い、第２閾値超過の場合に、当該検査ブースが混雑しているので受診者を他の検査ブースへ移動させることができる。
【００２９】
ここで、第１閾値および第２閾値を別途設けることで、検査ブースのバッファを設けることができる。
【００３０】
また、上記においては、第１閾値と第２閾値とを別の値として設けてもよく、第１閾値および第２閾値が同じであってもよい。
【００３１】
（７）
第７の発明にかかる出張型巡回健診現場における受診者通過情報公開システムは、第６の発明にかかる出張型巡回健診現場における受診者通過情報公開システムにおいて、携帯通信端末への報知は、地図情報に基づく移動経路情報を含んでもよい。
【００３２】
この場合、携帯通信端末への報知は、地図情報に基づく移動経路情報を含むので、受診者は、検査ブースへ向かう際に移動経路情報を確認しつつ移動することができる。
【００３３】
（８）  
第８の発明にかかる出張型巡回健診現場における受診者通過情報公開システムは、一局面から第７の発明にかかる出張型巡回健診現場における受診者通過情報公開システムにおいて、制御部は、携帯通信デバイスに対して、受診未完了者情報または遅延予測時間、次健診会場の開始時間および担当連絡先情報を報知してもよい。
【００３４】
この場合、制御部は、携帯通信デバイスに対して受診未完了者情報または遅延予測時間を報知させるので、健診スタッフは、終了予定時刻等を認識することができる。さらに、次健診会場の開始時間および担当連絡先情報も報知させることができるので、健診スタッフは、容易に次健診会場の健康管理主体側の企業担当者に連絡を行うことができる。
【００３５】
（９）
第９の発明にかかる出張型巡回健診現場における受診者通過情報公開システムは、第４から第８の発明にかかる出張型巡回健診現場における受診者通過情報公開システムにおいて、制御部は、通信端末に対して、検査ブース毎の健診状況、受診未完了者情報または遅延予測時間を報知してもよい。
【００３６】
この場合、健康管理主体側の企業担当者の通信端末に対して検査ブース毎の健診状況、受診未完了者情報または遅延予測時間を報知することができるので、企業担当者は未受診者の受診を勧奨して、遅延を解消することができる。
【００３７】
第１０の発明にかかる出張型巡回健診現場における受診者通過情報公開システムは、第５の発明にかかる出張型巡回健診現場における受診者通過情報公開システムにおいて、制御部は、通過禁忌情報に応じて、入出検出部に通過禁忌情報に該当する携帯通信端末の情報を送信し、入出検出部において、携帯通信端末の情報を受信した場合、報知を行ってもよい。
【００３８】
この場合、制御部は、通過禁忌情報に応じて、入出検出部と携帯通信端末との通信時に、報知を行うことができる。その結果、携帯通信端末を所有する受診者に検査を受けないよう、または、検査に注意するよう、報知することができる。なお、報知は、入出検出部が実施してもよく、携帯通信端末が実施してもよく、両者が実施してもよい。さらに、携帯通信デバイスに報知させてもよい。その結果、健診スタッフが、受診者に注意を促すことができる。  
【図面の簡単な説明】
【００３９】
【図１】本発明の実施形態による出張型巡回健診現場における受診者通過情報公開システムの構成の一例を示す模式的斜視図である。
【図２】出張型巡回健診現場における受診者通過情報公開システムの制御システムの動作の一例を示すフローチャートである。
【図３】健康診断実施内容に応じた検査ブースの一例を示す模式図である。
【図４】受診者用の携帯通信端末の表示の一例を示す模式図である。
【図５】制御システムのイレギュラー時の制御フローの一例を示すフローチャートである。
【図６】健診スタッフの携帯通信デバイスの表示および企業担当者の通信端末の表示の一例を示す模式図である。
【図７】健診スタッフの携帯通信デバイスの表示例の一例を示す模式図である。
【図８】現実待ち時間の制御フローの一例を示すフローチャートである。
【発明を実施するための形態】
【００４０】
以下、図面を参照して、本発明の実施形態を詳しく説明する。図中同一又は相当部分には同一符号を付してその説明を繰り返さない。なお、説明をわかりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
[実施の形態]
図１は、本発明の実施形態による出張型巡回健診現場における受診者通過情報公開システム１００の構成の一例を示す模式的斜視図である。
【００４１】
（概略構成）
図１に示すように、出張型巡回健診現場における受診者通過情報公開システム１００は、制御システム２００、記録部３００、１または複数の携帯通信端末４００、１または複数の携帯通信デバイス５００、各検査ブースに設けられた複数の入出検出部６００および健康管理主体側の企業担当者システム７００を含む。
【００４２】
（受診者用の携帯通信端末）
本実施の形態においては、１または複数の携帯通信端末４００は、受診者の各自が所有する携帯通信端末４００である。具体的に携帯通信端末４００は、携帯電話、スマートフォン、タブレット等の通信機器である。
【００４３】
なお、受診者が携帯通信端末４００を所有していない場合、出張型巡回健診現場における受診者通過情報公開システム１００における携帯通信端末４００を受信者へ供与する形であってもよい。
【００４４】
（受診スタッフの携帯通信デバイス）
また、１または複数の携帯通信デバイス５００は、出張型巡回健診現場における受診者通過情報公開システム１００の健診スタッフが所有する携帯通信デバイス５００である。
【００４５】
具体的に携帯通信デバイス５００は、携帯電話、スマートフォン、タブレット、ノート型パソコン等の通信機器である。
【００４６】
本実施の形態における健診スタッフは、携帯通信デバイス５００を用いて受診者の本人認証時間、または測定値等の入力終了時間を通過情報として制御システム２００から受信し、健診会場全体の進捗状況を確認することができる。
【００４７】
（入出検出部）
さらに、入出検出部６００は、各検査ブースにそれぞれ配置されており、受診者の検査ブースの入室、退室および待ち人数を検出するものである。すなわち、入出検出部６００は、近距離無線通信機器６１０およびビーコン検出機器６２０からなり、入出する受診者の携帯通信端末４００と通信を行うことにより受診者の入退出および待ち人数を検知することができる。
【００４８】
本実施の形態におけるビーコン検出機器６２０は、半径５ｍ範囲内に、存在する携帯通信端末の個数を認識することができる。その結果、ビーコン検出機器６２０により当該検査ブースで待っている受診者の人数を検出することができる。なお、半径５ｍ範囲内に携帯通信端末４００が存在する場合に、自動的に検出を行い、その後、１分毎に検出を行ってもよい。
【００４９】
なお、本実施の形態においては、１分毎に検出としているが、これに限定されず、２分、３分、５分、１０分等任意の時間で検出してもよい。
【００５０】
また、近距離無線通信機器６１０は、ＮＦＣによりタッチすることで、入退室を検出するので、当該検査ブースにおいて受診者の受診時間を検出することができる。
【００５１】
なお、本実施の形態においては、近距離無線通信機器６１０およびビーコン検出機器６２０の両者を設ける場合について説明したが、これに限定されず、近距離無線通信機器６１０およびビーコン検出機器６２０の少なくとも一方を備えていてもよい。
【００５２】
なお、上記の実施の形態においては、ビーコン検出機器６２０を例示したが、これに限定されず、ｉＢｅａｃｏｎ等のＢＬＥ（Ｂｌｕｅｔｏｏｔｈ（登録商標）  Ｌｏｗ  Ｅｎｅｒｇｙ）機器、ワイヤレスの近距離無線通信機器等を用いてもよい。また、通信距離は、半径５ｍではなく、半径１０ｍであってもよく、ＮＦＣ等の１０ｃｍ以下の近接型であってもよい。
【００５３】
以上のように、出張型巡回健診現場における受診者通過情報公開システム１００においては、制御部システム２００が、記録部３００、１または複数の携帯通信端末４００、１または複数の携帯通信デバイス５００、複数の入出検出部６００および企業担当者システム７００とインタネットクラウドＣＬを介して通信可能に設けられる。
【００５４】
（制御フロー）
図２は、出張型巡回健診現場における受診者通過情報公開システム１００の制御システム２００の動作の一例を示すフローチャートである。
【００５５】
まず、制御システム２００は、健康管理主体側の企業担当者システム７００からの依頼を受信する（ステップＳ１）。
【００５６】
制御システム２００は、健康管理主体側の企業担当者システム７００からの依頼を受信し、受診者の診察人数、受診者の健診内容等の契約依頼内容に応じて健診スタッフの人数、検査ブース数の選定を行う（ステップＳ２）。
【００５７】
ここで、図３は、受診者の健診内容等の契約依頼内容に応じた検査ブースの一例を示す模式図である。
【００５８】
図３に示すように、検査名に応じて各検査ブースが設置され、基本順序、混雑閾値、所要時間、禁足（通過忌避情報）、通過登録タイミング等がリスト化される。
【００５９】
次に、図２に示すように、制御システム２００は、健康管理主体側の企業担当者システム７００に対して受診者通過情公開システムにおけるアプリケーションソフトの指示を送信する（ステップＳ３）。
【００６０】
健康管理主体側の企業担当者システム７００は、受診者の所有する携帯通信端末４００に当該アプリケーションソフトをダウンロードするためのＵＲＬを送信する（ステップＳ４）。
【００６１】
本実施の形態においては、健康管理主体側の企業担当者システム７００から受診者の所有する携帯通信端末４００にアプリケーションソフトのダウンロードのＵＲＬを送信することとしたが、これに限定されず、制御システム２００から受診者の所有する携帯通信端末４００にアプリケーションソフトのダウンロードのＵＲＬを送信してもよく、制御システム２００から貸し出し用の携帯通信端末４００にアプリケーションソフトのダウンロードのＵＲＬを送信して受診者に手渡ししてもよく、受診票等の紙面に記載されたＵＲＬまたはＱＲコード（登録商標）等の情報からダウンロード用のＵＲＬを受診者に伝えてもよい。
【００６２】
続いて、受診者は、ＵＲＬに基づいて、携帯通信端末４００にアプリケーションソフトをダウンロードする。そして、受診者は、携帯通信端末４００の表示部に表示された自分の健診内容等を確認することができる。
【００６３】
図４は、受診者用の携帯通信端末４００の表示の一例を示す模式図である。
【００６４】
まず、受診者は、携帯通信端末４００を用いて生年月日を入力することでログインする。図４においては、ログイン画面の記載を省略する。
【００６５】
なお、本実施の形態においては、生年月日を入力することとしているが、これに限定されず、生年月日と任意のパスワードとを入力させてもよく、任意のパスワードのみであってもよい。
【００６６】
また、図４に示すように、携帯通信端末４００には、受診者本人の受診状況が一覧で表示される。したがって、検査ブースにおいて受診した場合には、当該一覧に『終了しました』と記載され、未受信の場合には、当該一覧に『未実施』と記載される。
【００６７】
なお、本実施の形態においては、未実施と記載することとしているが、表示画面から消去されてもよく、図４の胸部Ｘ線に記載の表示の色が変化されてもよい。この例では、胸部Ｘ線の検査ブースが混雑している場合、表示の色を変化させている。
【００６８】
また、受診者は、受診者の業務都合により、健診の一時中断登録を行うことができる。すなわち、図４に示すように、受診者通過情報テーブルの一時中断フラグＳＦをオンにする。また、受診者は、一時中断フラグＳＦを操作して一時中断フラグＳＦをオフにすることができる。当該操作による一時中断フラグＳＦのオンオフによる制御システム２００および健診スタッフの携帯通信デバイス５００の詳細については後述する。
【００６９】
また、当該アプリケーションソフトは、ＧＰＳ通信により現在地を制御システム２００に１分毎に通信確認する機能を含むものである。
【００７０】
一方、図２に示すように、制御システム２００は、健康管理主体側の企業担当者システム７００からの依頼に応じて決定した各検査ブースの設置を決定する（ステップＳ５）。ここで、各検査ブースの設置位置についても、記録部３００に記録された検査ブースの通過禁忌情報に基づいて配置を指示する。
【００７１】
通過禁忌情報とは、胃カメラ撮影の前に胸部レントゲンを配置することなどである。胃カメラ撮影後のバリウム等が胸部レントゲンに撮像されてしまうことが起きるという問題を回避するためである。
【００７２】
また、具体的に各検査ブースの設置順は、通過管理フローテーブルに登録された基本順序に基づくが、企業担当者システム７００からの契約内容による検査の有無、または会場準備完了時点での各検査ブースの設置状況により、健診スタッフのリーダー格が、携帯通信デバイス５００を用いて会場通過管理テーブルに登録を行うことで最終決定される。
【００７３】
次いで、制御システム２００は、健診スタッフが所有する携帯通信デバイス５００に対して、各検査ブースへ移動するよう報知する（ステップＳ６）。
【００７４】
また、携帯通信デバイス５００には、次の検査の待ち人数、および混雑状況が表示される。
【００７５】
ここで、健診スタッフは、各検査ブースにおいて次の検査ブースへの案内を行う。また、健診スタッフは、次の検査ブースが混雑した場合、携帯通信デバイス５００を確認し、次に可能な検査ブースへのエスコートを行う。
【００７６】
次に、制御システム２００は、ステップＳ４の処理の後に、受診者から受診予定時間には検査ブースに行けないことを意味する一時中断フラグＳＦの有無を判定する（ステップＳ７）。
【００７７】
上述したように、受診者は、携帯通信端末４００に表示された自分の受診予定時間において、会議、来客等の時間の融通をつけられない仕事がある場合、携帯通信端末４００を用いて制御システム２００に予定変更の指示を行う。
【００７８】
制御システム２００は、ステップＳ８の処理において、一時中断フラグＳＦが有る場合、制御システム２００は、該当する携帯通信端末４００へ、時間変更の指示を行う（ステップＳ８）。その後、一時中断フラグＳＦがオフになるまで、ステップＳ７の処理を繰り返す。
【００７９】
一方、一時中断フラグＳＦが無い場合、制御システム２００は、処理を終了する。
【００８０】
なお、上記の実施の形態においては、一時中断フラグＳＦのみについて説明を行っているが、これに限定されず、受診者が携帯通信端末４００の受診内容、受診時間を確認し、時間変更を希望するフラグを設けても良い。
【００８１】
その結果、受診者の都合に合わせて健診を行うことができる。
上記においては、制御システム２００がステップＳ２の処理を行うこととしているが、これに限定されず、別途上位制御システムを設け、当該上位制御システムが健診の依頼を受け取り、ステップＳ２の処理を行い、当該処理結果を制御システム２００に送信する形態を採用しても良い。
【００８２】
（イレギュラーの制御フロー）
続いて、本発明にかかる制御システム２００のイレギュラー時の制御フローについて説明する。
【００８３】
図５は、制御システム２００のイレギュラー時の制御フローの一例を示すフローチャートである。
【００８４】
図５に示すように、制御システム２００は、携帯通信端末４００からのＧＰＳ情報を定期的に取得する（ステップＳ１１）。
【００８５】
また、制御システム２００は、携帯通信デバイス５００からのＧＰＳ情報を定期的に取得する（ステップＳ１２）。
【００８６】
制御システム２００は、携帯通信デバイス５００におけるＧＰＳ情報が予定した位置か否かを判定する（ステップＳ１３）。
【００８７】
予定した位置に携帯通信デバイス５００が存在しない時間が所定時間以上経過した場合、当該携帯通信デバイス５００に警告を送信し（ステップＳ１４）、予定した位置へ向けて移動するか否かを判定する（ステップＳ１５）。
【００８８】
制御システム２００は、当該携帯通信デバイス５００が予定した位置に戻らない場合、当該携帯通信デバイス５００が現実に存在する位置に健診スタッフのうちリーダー格の携帯通信デバイス５００に当該位置に移動するよう指示を行う（ステップＳ１６）。すなわち、リーダー格の携帯通信デバイス５００に当該健診スタッフが所定の位置に戻るように、指示を行うものである。
【００８９】
次に、制御システム２００は、携帯通信端末４００におけるＧＰＳ情報が予定した位置か否かを判定する（ステップＳ１７）。
【００９０】
予定した位置に携帯通信端末４００が存在しない時間が所定時間以上経過した場合、当該携帯通信端末４００に予定した検査ブースへの地図道順を送信し（ステップＳ１８）、予定した検査ブースへ向けて移動するか否かを判定する（ステップＳ１９）。
【００９１】
制御システム２００は、当該携帯通信端末４００が予定した検査ブースへ向けて移動しない場合、当該携帯通信端末４００が現実に位置する場所に最寄りの携帯通信デバイス５００に当該位置する場所へ移動し、移動を促すよう地図道順を指示する（ステップＳ２０）。
【００９２】
当該携帯通信デバイス５００へのサポートの指示は、移動しない受診者の携帯通信端末４００の位置情報、すなわち、携帯通信デバイス５００から携帯通信端末４００までの移動地図情報が表示される。その結果、健診スタッフは、容易に受診者の位置へ移動し、当該受診者をエスコートすることができる。
【００９３】
制御システム２００は、ステップＳ２０の処理の後、携帯通信端末４００が移動するか否かを判定する（ステップＳ２１）。
【００９４】
携帯通信端末４００が移動しない場合、ステップＳ１７の処理からステップＳ２１の処理を繰り返す。一方、携帯通信端末４００が移動した場合、処理を終了する。
【００９５】
すなわち、例えば、受診者が、検査ブースに移動する途中で、仕事の連絡が入る場合等がある。いわゆるイレギュラーな状態が起こり得る。
【００９６】
そのため、制御システム２００は、携帯通信端末４００を所有している受診者のＧＰＳ情報が所定時間移動しない場合、他の受診者の携帯通信端末４００に検査ブースへの移動を促すとともに、携帯通信端末４００を所有している受診者のＧＰＳ情報を検知し続けることで、受診者に受診を促すことができる。
【００９７】
以上の制御システム２００のイレギュラーの制御フローにより、受診者が検査順序を迷った場合等、即座に対応を行うことができる。
【００９８】
（健診スタッフの携帯通信デバイス５００の表示例）
次に、図６および図７は、健診スタッフの携帯通信デバイス５００の表示例の一例を示す模式図である。
健診スタッフは、携帯通信デバイス５００を用いて、受診日、会場名（企業名称）、事業所名称、パスワード等を入力してログインする。
【００９９】
図６に示すように、携帯通信デバイス５００には、未受診者数、中断者数、終了者数、等が表示される。また、図６の一覧ボタンを操作することにより、未受診者一覧として、受診者の名前、所属部署、および内線電話番号が表示される。
【０１００】
さらに、上述したように、一時中断フラグＳＦを操作しない状態で、行方不明と制御システム２００が判定した受診者名、所属部署、および内線番号を受診者情報が表示される。
また、携帯通信デバイス５００には、全体の終了予想時間が表示される。
【０１０１】
また、携帯通信デバイス５００には、各検査ブースにおいて、未受診者の受付誘導シミュレーションが表示されたり、行方不明者の位置情報までの地図情報が表示されたりする。
【０１０２】
また、図７に示すように、携帯通信デバイス５００のエスコート画面には、発見ボタン、中断ボタン、キャンセルボタン、停滞者または行方不明者の現在地までの地図情報等が表示される。例えば、停滞者または行方不明者『テスト四朗』さんの現在地が表示されるため、携帯通信デバイス５００を所有する受診スタッフが経路に沿って行方不明者の現在地に移動して、エスコートを行うことができる。
【０１０３】
図７に示す地図経路に基づいて健診スタッフが、直接受診者と会話を行い、次の検査以降の混雑状況の情報を確認し、発見ボタンを押下操作する。その結果、検診スタッフの所有する携帯通信デバイス５００から制御システム２００へ停滞者または行方不明者を発見した旨の通知が行われる。
【０１０４】
また、中断ボタンは、受診者の一時中断フラグＳＦと同様の機能を有し、検査ブースの混雑が緩和するまで中断して勤務に戻ることを申し合わせることを許可する場合に操作される。なお、この場合、中断ボタンの操作に応じて、携帯通信デバイス５００から制御システム２００に携帯通信端末４００が一時中断フラグＳＦを操作したことを送信する。
【０１０５】
キャンセルボタンは、図６の画面から図５の画面に移動する場合に操作されるものである。その他、図６および図７に表示していないが、各検査ブースが混雑している場合、「混んでます警告表示」を行ってもよい。
【０１０６】
（企業担当者システム７００の表示例）
図６および図７は、健康管理主体側の企業担当者システム７００からの表示の一例を示す模式図でもある。
企業担当者は、企業担当者システム７００を用いて、受診日、会場名（企業名称）、事業所名称、パスワード等を入力してログインする。
【０１０７】
企業担当者が健診スタッフと同様に図６のように健診進捗状況を確認することができる。
【０１０８】
また健診現場を離れることのできない健診スタッフからの連絡により、企業担当者が図７の画面を利用して行方不明者を地図上で捜索して迎えに行くことができる。この場合は、「現在位置」、「発見ボタン」「中断ボタン」「キャンセルボタン」の機能は無効となり、表示もされない。
【０１０９】
（入出検査機器６００による現実待ち時間の制御フロー）
図８は、現実待ち時間の制御フローの一例を示すフローチャートである。
【０１１０】
制御システム２００は、入出検査機器６００の近距離無線通信機器６１０により受診者が入出した時間を検出する（ステップＳ４１）。
【０１１１】
すなわち、各検査ブースにおける実際に検査にかかる時間について検出を行う。
【０１１２】
次に、制御システム２００は、予定していた経過時間が検出した時間よりも大きいか否かを判定する（ステップＳ４２）。
【０１１３】
制御システム２００は、検出した時間が予定していた経過時間よりも短い場合、制御システム２００は、ビーコン検出機器６２０により待ち人数を算出し（ステップＳ４３）、さらに、当該検査ブース以降の健診順序において待ち人数を増加すべきか否かの判定を行う（ステップＳ４４）。
【０１１４】
待ち人数を増加すべきと判定した場合には、制御システム２００は、次の受診者の携帯通信端末４００に対して検査ブースへ移動するように、指示を行う（ステップＳ４５）。
【０１１５】
一方、ステップＳ４４の処理において、下流検査ブースの増加がＮＧの場合、すなわち、待ち人数を減少すべきと判定した場合には、制御システム２００は、次の受診者の携帯通信端末４００に対して、制御システム２００によって現在待ち人数を増加すべきと判断されている次の通過順の検査ブースへ移動するように、指示を行う（ステップＳ４６）。すなわち、空いている検査ブースに移動してもらうよう、携帯通信端末４００に送信する。
【０１１６】
また、制御システム２００は、企業担当者システム７００に指示の内容に基づいた状況を報知する（ステップＳ４７）。具体的には、制御システム２００は、企業担当システム７００に対して、全体の健診状況、終了時刻等を報告する。企業担当システム７００に報告された内容に基づいて企業担当者は、健診状況または終了時刻を認識することができる。
【０１１７】
さらに、制御システム２００は、健診スタッフのリーダー格の携帯通信デバイス５００に対して、指示の内容に基づいた状況を報知するとともに、次の健診企業の場所、予定時刻、次の健診企業担当者の連絡先を報知する（ステップＳ４８）。
また、本実施の形態においては、指示の内容に基づいた状況について説明したが、これに限定されず、制御システム２００が、既に受診を終了した人数と所要時間とから平均受診時間を計算し、未受診人数と前述平均受診時間とから残りの必要時間を計算してもよい。
【０１１８】
その結果、健診スタッフのリーダーは、状況に応じて、次の健診企業の場所、予定時刻、次の健診企業担当者の連絡先に連絡を行うことができる。
【０１１９】
具体的には、健診スタッフのリーダーは、予定時間から遅延する場合、次の健診企業担当者に報知を行うことができる。
また、本実施の形態にかかる出張型巡回健診現場における受診者通過情報公開システム１００においては、各検査ブースにおいて、検査した結果を記録部３００に随時記録させてもよい。さらに、受診者の問診の結果を携帯通信端末４００または健診スタッフの携帯通信デバイス５００を用いて記録部３００に記録させてもよい。
【０１２０】
制御システム２００は、当該問診結果に基づいて禁忌情報を記録部３００に記録すると共に、受診者の携帯通信端末４００に送信する。
また、制御システム２００は、近距離無線通信機器６１０へ通過させてはならない、または注意をすべき携帯通信端末４００を送信する。
【０１２１】
その結果、近距離無線通信機器６１０は、通過させてはならない、または注意をすべき携帯通信端末４００が近接した場合には、当該携帯通信端末４００に対して報知を行うようにする。
例えば、携帯通信端末４００を持つ受診者に『当該検査ブースを通過してください。』または、『健診スタッフにお声がけください。』等の音声報知および／または表示、点灯点滅等を行う。
【０１２２】
また、近距離無線通信機器６１０は、通過させてはならない、または注意をすべき携帯通信端末４００が近接した場合には、健診スタッフの携帯通信デバイス５００に、通過させてはならない、または注意をすべき携帯通信端末４００が近接した旨を送信してもよい。
【０１２３】
例えば、禁忌情報には、以下の例がある。子宮体がん検診の禁忌情報は、妊娠中または妊娠の可能性のある方、避妊リングを挿入している方、生理中の方、子宮を全摘出されている方、血小板減少症の方、抗凝固剤を服用している方が該当し、マンモグラフィ受診の禁忌情報は、妊娠中または妊娠の可能性のある方、授乳中の方、豊胸手術を受けた方、ペースメーカーを装着している方、ＶＰシャントを挿入している方が該当し、胃レントゲン受診の禁忌情報は、妊娠中または妊娠の可能性のある方、バリウムによるショック症状や副作用のあった方、潰瘍性大腸炎、急性胃腸炎で治療中の方、クローン病で治療中の方、または既往歴のある方、下部消化管穿孔の既往歴のある方、透析治療を受けている方（腹膜透析 含む）、体重１２０kg以上の方、当日の血圧測定で最高血圧１８０ｍｍＨｇ／最低血圧１１０ｍｍＨｇ以上の方、腸閉塞になってから初めてのバリウム検査の方が該当し、胸部レントゲンおよび骨密度検査受診の禁忌情報は、妊娠中または妊娠の可能性のある方が該当する。
【０１２４】
なお、上記の禁忌情報は、例示であり、その他の健診に応じて追加、削除等任意に変更することが可能である。
【０１２５】
以上のように、本実施の形態にかかる出張型巡回健診現場における受診者通過情報公開システム１００においては、外乱が生じた場合でも的確な健康診断を実施することができる。
【０１２６】
また、移動すべき受診者が報知情報に応じない場合または移動しない場合、最寄りでかつ手空きの健診スタッフが対応することができる。
さらに、受診者のデータ、健診内容、健診順序、検査ブース毎の集計および各検査ブースの健診状況に応じて非対応の受診者の携帯通信端末に報知を行うことで、健診スタッフが、受診者を移動させるべき検査ブースを認識し、当該受診者の位置情報を取得することができる。
その結果、健診の途中に業務などで検査ブースに移動しない受診者に対して即座に対応を行うことができる。すなわち、システムで報知するのみでなく、健診スタッフが容易に案内をすることができるので、予定していた時間で全受診者の健診を終了することができる。
【０１２７】
（実施形態における各部と請求項の各構成要素との対応関係）
本発明において、携帯通信デバイス５００が「携帯通信デバイス」に相当し、携帯通信端末４００が「携帯通信端末」に相当し、記録部３００が「記録部」に相当し、制御システム２００が「制御部」に相当し、出張型巡回健診現場における受診者通過情報公開システム１００が、「出張型巡回健診現場における受診者通過情報公開システム」に相当し、入出検出部６００が「入出検出部」に相当し、企業担当者システム７００が「健康管理主体側の企業担当者における通信端末」に相当する。
【０１２８】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１２９】
１００  出張型巡回健診現場における受診者通過情報公開システム
２００  制御システム
３００  記録部
４００  携帯通信端末
５００  携帯通信デバイス
６００  入出検出部
７００  企業担当システム
【図１】
2018073266.tif 000003
【図２】
2018073266.tif 000004
【図３】
2018073266.tif 000005
【図４】
2018073266.tif 000006
【図５】
2018073266.tif 000007
【図６】
2018073266.tif 000008
【図７】
2018073266.tif 000009
【図８】
2018073266.tif 000010
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
出張型巡回健診スタッフ毎の位置情報および報知部を含む複数の携帯通信デバイスと、
受診者毎の位置情報および報知部を含む複数の携帯通信端末と、
前記受診者の所属する企業担当者における通信端末と、
前記受診者のデータ、健診内容、健診順序、検査ブース毎の集計および各検査ブースの健診状況を記録する記録部と、
前記携帯通信デバイスおよび前記携帯通信端末との送受信、および前記記録部への記録操作を行う制御部と、を含み、
前記制御部は、前記記録部における健診状況に応じて、前記受診者の位置情報に基づいて前記報知部に報知を行うとともに、
一の前記携帯通信端末に報知した情報に応じて一の前記受診者の位置情報が報知に非対応または移動しない場合に、前記記録部に記録された情報に応じて受診者の健診順序の組み換えを行い、他の前記携帯通信端末に報知を行い、
さらに、前記受診者のデータ、健診内容、健診順序、検査ブース毎の集計および各検査ブースの健診状況に応じて前記携帯通信デバイスに報知を行うとともに位置情報を取得し、前記一の前記携帯通信端末の位置情報の確認を一の前記携帯通信デバイスの報知部に報知させ、
さらに、前記記録部の検査ブース毎の集計および健診状況を前記通信端末に送信する、出張型巡回健診現場における受診者通過情報公開システム。
【請求項２】
前記検査ブースの入り口および出口に設けられた入出検出部をさらに含み、
前記制御部は、前記複数の携帯通信端末のうち、一の携帯通信端末が前記入出検出部からの情報に応じて、前記記録部の健診状況を判定する、請求項１記載の出張型巡回健診現場における受診者通過情報公開システム。
【請求項３】
前記制御部は、前記複数の携帯通信デバイスに対して、前記記録部に記録する検査ブース毎の集計または前記健診状況を共有表示させるとともに、前記携帯通信デバイス毎の報知部に報知を行う、請求項１または２記載の出張型巡回健診現場における受診者通過情報公開システム。
【請求項４】
前記制御部は、前記健診順序において通過禁忌情報を追加する追加機能を有する、請求項１乃至３のいずれか１項に記載の出張型巡回健診現場における受診者通過情報公開システム。
【請求項５】
前記制御部は、前記各検査ブースにおける前記携帯通信端末の位置情報を取得し、前記携帯通信端末の個数が第１閾値以下の場合に、前記携帯通信端末の報知部に報知を行わせ、
前記携帯通信端末の個数が第２閾値超過の場合に、前記携帯通信端末の報知部に他の検査ブースへ移動するよう報知するとともに、前記携帯通信端末の位置情報に近接する前記携帯通信デバイスの報知部に報知を行う、請求項１乃至４のいずれか１項に記載の出張型巡回健診現場における受診者通過情報公開システム。
【請求項６】
前記携帯通信端末への報知は、地図情報に基づく移動経路情報を含む、請求項５記載の出張型巡回健診現場における受診者通過情報公開システム。
【請求項７】
前記制御部は、前記携帯通信デバイスに対して、受診未完了者情報または遅延予測時間、次健診会場の開始時間および担当連絡先情報を報知する、請求項１乃至６のいずれか１項に記載の出張型巡回健診現場における受診者通過情報公開システム。
【請求項８】
前記制御部は、前記通信端末に対して、検査ブース毎の健診状況、受診未完了者情報または遅延予測時間を報知する、請求項１乃至７のいずれか１項に記載の出張型巡回健診現場における受診者通過情報公開システム。
【請求項９】
前記制御部は、前記健診順序において通過禁忌情報を追加する追加機能を有し、
前記制御部は、前記通過禁忌情報に応じて、前記入出検出部に前記通過禁忌情報に該当する携帯通信端末の情報を送信し、前記入出検出部において、当該携帯通信端末の情報を受信した場合、報知を行う、請求項２に記載の出張型巡回健診現場における受診者通過情報公開システム。